(57)【要約】【課題】  本発明は、従来よりも容易に基板へアクセスすることができる光学機器を提供することを目的とする。【解決手段】  被制御部材を制御するための制御基板と、前記制御基板と外部装置を電気的に接続するためのコネクタと、前記制御基板に電力を供給するための電源を保持する電源保持部と、前記電源保持部を保持可能な保持部材と、を備える光学機器であって、前記電源保持部は前記保持部材に対して着脱可能であり、前記電源保持部が前記保持部材から取り外された状態においては前記コネクタの少なくとも一部が開口部を介して露出しており、前記電源保持部が前記保持部材に装着された状態においては前記電源保持部によって前記開口部が覆われている、ことを特徴とする光学機器。【選択図】  図４
2018004780.tif 000002
【特許請求の範囲】
【請求項１】
被制御部材を制御するための制御基板と、
前記制御基板と外部装置を電気的に接続するためのコネクタと、
前記制御基板に電力を供給するための電源を保持する電源保持部と、
前記電源保持部を保持可能な保持部材と、を備える光学機器であって、
前記電源保持部は前記保持部材に対して着脱可能であり、
前記電源保持部が前記保持部材から取り外された状態においては前記コネクタの少なくとも一部が開口部を介して露出しており、
前記電源保持部が前記保持部材に装着された状態においては前記電源保持部によって前記開口部が覆われている、
ことを特徴とする光学機器。
【請求項２】
前記制御基板は前記コネクタとともに第１の方向に移動可能であって、
前記電源保持部は前記電源が収納される収納部を有しており、
前記収納部の長手方向は前記第１の方向と平行である、
ことを特徴とする請求項１に記載の光学機器。
【請求項３】
前記開口部の長手方向は前記第１の方向と平行である、
ことを特徴とする請求項２に記載の光学機器。
【請求項４】
前記電源は電池であって、
前記収納部は前記電池の長手方向が前記第１の方向と平行になるように前記電池を収納可能である、
ことを特徴とする請求項２または３に記載の光学機器。
【請求項５】
前記光学機器の外側の少なくとも一部の領域には第１の端子が設けられており、
前記電源保持部は、前記保持部材に装着された状態において前記少なくとも一部の領域を覆うように構成されているとともに、前記電源保持部が前記保持部材に装着された状態において前記第１の端子と電気的に接続可能な第２の端子を有しており、
前記第１の端子が前記第２の端子に電気的に接続すると前記電源からの電力が前記制御基板に供給される、
ことを特徴とする請求項１乃至４のいずれか一項に記載の光学機器。
【請求項６】
前記保持部材は第１の穴部を有し、
前記電源保持部は第２の穴部を有し、
前記電源保持部は前記第１の穴部及び前記第２の穴部に挿入される締結部材によって前記保持部材に装着され、
前記開口部の法線方向視において、前記第１の穴部と前記コネクタは互いに異なる位置に設けられている、
ことを特徴とする請求項１乃至５のいずれか一項に記載の光学機器。
【請求項７】
前記光学機器は前記被制御部材として像振れ補正装置を備え、
前記制御基板は前記像振れ補正装置を制御する、
ことを特徴とする請求項１乃至６のいずれか一項に記載の光学機器。
【請求項８】
前記光学機器は前記被制御部材として撮影装置を備え、
前記制御基板は前記撮影装置を制御する、
ことを特徴とする請求項１乃至７のいずれか一項に記載の光学機器。
【請求項９】
前記光学機器は、
２つの対物光学系と、
２つの接眼光学系と、を備える双眼装置である、
ことを特徴とする請求項１乃至８のいずれか一項に記載の光学機器。
【請求項１０】
前記２つの対物光学系が備える複数の光学素子のうち少なくとも一部は、前記制御基板および前記コネクタとともに前記２つの対物光学系の光軸方向へ移動可能である、
ことを特徴とする請求項９に記載の光学機器。
【発明の詳細な説明】
【技術分野】
【０００１】
本発明は光学機器に関し、特に両眼で被観察体を拡大して見えるようにする双眼装置に関する。
【背景技術】
【０００２】
従来、手振れ等に起因する像ぶれを補正する防振機能を備えた双眼装置として、特許文献１に記載の双眼装置が知られている。特許文献１に記載の双眼装置は、双眼装置上面に設けられた操作スイッチを操作すると基板に信号が伝わり、双眼装置内の防振ユニットが動作して前述の像ぶれを補正することができる。
【先行技術文献】
【特許文献】
【０００３】
【特許文献１】特開２０１６−２９４０３号公報
【発明の概要】
【発明が解決しようとする課題】
【０００４】
防振ユニットを制御するための基板を備えた双眼装置においては製造段階やメンテナンスの際にファームの書き換えなどのために基板へアクセスする場合がある。なお、ここでいう基板へアクセスするとは基板に設けられたコネクタを介して基板とコンピュータなどの外部装置とを電気的に接続することをいう。
【０００５】
特許文献１に記載の双眼装置で基板へアクセスするためには、カバーガラスや操作スイッチを保持しつつ対物光学系と防振ユニットを覆っている前カバーという比較的大きい部品を取り外す必要があるため、基板へアクセスするまでの操作が煩雑となる。
【０００６】
そこで本発明は、従来よりも容易に基板へアクセスすることができる光学機器を提供することを目的とする。
【課題を解決するための手段】
【０００７】
上記目的を達成するために、本発明の光学機器は、
被制御部材を制御するための制御基板と、
前記制御基板と外部装置を電気的に接続するためのコネクタと、
前記制御基板に電力を供給するための電源を保持する電源保持部と、
前記電源保持部を保持可能な保持部材と、を備える光学機器であって、
前記電源保持部は前記保持部材に対して着脱可能であり、
前記電源保持部が前記保持部材から取り外された状態においては前記コネクタの少なくとも一部が開口部を介して露出しており、
前記電源保持部が前記保持部材に装着された状態においては前記電源保持部によって前記開口部が覆われている、
ことを特徴とする。
【発明の効果】
【０００８】
本発明によれば、従来よりも容易に基板へアクセスすることができる光学機器を提供することができる。
【図面の簡単な説明】
【０００９】
【図１】第１実施例の双眼装置を上面から見た断面図
【図２】第１実施例の双眼装置に電池室ユニットを装着した状態の断面図
【図３】（ａ）第１実施例の双眼装置から電池室ユニットを取り外した状態の断面図（無限遠に合焦した状態）、（ｂ）第１実施例の双眼装置から電池室ユニットを取り外した状態の断面図（至近に合焦した状態）
【図４】（ａ）図３（ａ）の矢印Ｂから見た双眼装置開口部を示す図、（ｂ）図３（ｂ）の矢印Ｂから見た双眼装置開口部を示す図
【図５】電池室ユニットの詳細を説明する図
【図６】開口部を示す図
【発明を実施するための形態】
【００１０】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、本発明は後述の実施の形態に限定されず、その要旨の範囲内で様々な変形及び変更が可能である。
【００１１】
〔第１実施例〕
以下、図１から図５を用いて本発明の第１実施例としての双眼鏡（光学機器、双眼装置）について説明する。
【００１２】
（双眼鏡の構成）
図１は上方から見た双眼鏡の断面図、図２は図１のＡ−Ａ線に沿って切断した双眼鏡の断面図であり、図１および図２は双眼鏡に後述の電池室ユニット１１が装着された状態である。
【００１３】
双眼鏡は被観察体からの光を入射する左右一対の対物光学系１Ｌ、１Ｒを保持する対物ユニット２Ｌ、２Ｒと、これらを抱含するカバー部材３と、電池室ユニット１１を保持可能なベース部材４（保持部材）と、接眼ユニット５Ｌ、５Ｒを備えている。左右一対の対物ユニット２Ｌ、２Ｒはフォーカス群であり、ダイヤル１６を回動させることで、スクリュー部材１７に成形されたネジ部に沿って光軸０Ｌ、０Ｒ方向へと進退する。
【００１４】
接眼ユニット５Ｌ、５Ｒは光軸偏心手段である正立方光学系のプリズム６Ｌ、６Ｒと、左右一対の接眼光学系７Ｌ、７Ｒを保持している。ベース部材４には、一対の接眼ユニット５Ｌ、５Ｒが対物光学系１Ｌ、１Ｒの光軸０Ｌ、０Ｒを中心に、回動自在にそれぞれ取り付けられている。
【００１５】
対物光学系１Ｌ、１Ｒの接眼光学系７Ｌ、７Ｒ側には像振れ補正装置８が設けられている。像振れ補正装置８は可動部材８ａ、固定部材８ｂを備えており、可動部材８ａが固定部材８ｂに対して光軸０Ｌ，０Ｒと直交する方向に移動する事で像振れを補正する。固定部材８ｂには、像振れ補正装置８の制御を行う素子が実装された制御基板９が保持されている。制御基板９には、複数のコネクタ１０や不図示のセンサ類が実装されており、それらによって像振れ補正制御が行われている。つまり、本実施例における被制御部材とは像振れ補正装置８である。
【００１６】
（電池室ユニット１１の装着）
図２に示すように、対物光学ユニット２Ｌ、２Ｒの間には電池室ユニット１１（電源保持部）が設けられており、電池室ユニット１１はベース部材４にビス１８（締結部材）によりビス締めされて取り付けられている。より詳細には電池室ユニット１１に設けられた第２の穴部ｈ２と、ベース部材４に設けられた第１の穴部ｈ１との位置を合わせたあとに、ビス１８を第１の穴部ｈ１と第２の穴部ｈ２に挿入してビス締めする。
【００１７】
ここで図４（ａ）（ｂ）に示すように、開口部１９の法線方向視において、第１の穴部ｈ１とコネクタ１０は互いに異なる位置に設けられている。言い換えると、第１の穴部ｈ１とコネクタ１０とは互いに重なっていない。
【００１８】
仮にベース部材４のうち第１の穴部ｈ１が設けられたアーム部材４ａ（保持部材あるいは保持部材の一部）がコネクタ１０上にあると、電池室ユニット１１を取り外して開口部１９が露出したとしてもコネクタ１０に容易にアクセスすることができない。このため、前述のように第１の穴部ｈ１とコネクタ１０は互いに異なる位置に設けられていることが好ましい。なお、開口部１９が設けられている領域は図６に示す領域である。図６に示すように、開口部１９を介してコネクタ１０が露出する。
【００１９】
図５に示すように、電池室ユニット１１には電極１２が組み込まれており、電極１２に接触するように電池収納部１３（収納部）に電池１３ａが挿入され、像振れ補正装置８を駆動するための電力を制御基板９へ供給する。また、電池１３ａは電池収納部１３に挿入された後、電池カバー１５で覆われ保持される。なお、電池１３ａの保持方法は電池カバー１５に限定されるものではなく、別体の保持部材で保持されてもよい。
【００２０】
（電池室ユニット１１の取り外し）
図３は図２において電池室ユニット１１を取り外した状態の断面図であり、図４は図３の矢印Ｂから見た双眼鏡の開口部１９、図５は電池室ユニット１１の詳細図である。図３（ａ）および図４（ａ）は無限遠にある被観察体に合焦した状態の図であって、図３（ｂ）および図４（ｂ）は至近距離にある被観察体に合焦した状態の図である。
【００２１】
図３（ａ）（ｂ）に示すように、電池室ユニット１１をベース部材４から取り外す場合、電池カバー１５を外して電池室ユニット１１から電池１３ａを抜き、ビス１８を抜き取るだけで、ベース部材４から電池室ユニット１１を取り外す事が出来る。つまり、電池室ユニット１１はベース部材４に対して着脱可能である。
【００２２】
電池室ユニット１１を取り外すと、電池室ユニット１１が開口部１９を覆っていた状態が解消されるので、カバー部材３及びベース部材４によって形成される開口部１９と電源接続用のフレキシブルプリント基板２０が露出する。フレキシブルプリント基板２０の一方の端は制御基板９に実装された複数のコネクタ１０の一つに接続され、もう一方の端（第１の端子）はベース部材４に保持される。
【００２３】
電池室ユニット１１に取り付けられた電極１２の電池１３ａと接触する端と反対の端には電源接続板金１４（第２の端子）が組み付けられている。電極１２と電源接続板金１４とは、電池室ユニット１１に対しとも締めにより接続されてもよく、溶接や半田によって接続されてもよい。電源接続板金１４は電池室ユニット１１をベース部材４に組み付けた際に、電源接続フレキ２０のベース部材４に保持された端（第１の端子）に接触し、通電する。
【００２４】
つまり、双眼鏡の外側の少なくとも一部の領域には第１の端子としてのフレキシブル基板２０の端が設けられており、電池室ユニット１１がベース部材４に装着されると、フレキシブル基板２０の端が電池室ユニット１１によって覆われる。そして、電池室ユニット１１は第１の端子に電気的に接続可能な第２の端子として電源接続板金１４を有しており、電池室ユニット１１をベース部材４に装着すると第１の端子と第２の端子が電気的に接続され、制御基板９に電力が供給される。その結果、電池室ユニット１１をベース部材４に装着すると開口部１９を覆うだけではなく双眼鏡２の外側も覆うことができる。このため、密閉性を高めることができつつ、特に電池室ユニット１１の細かい位置調整をする必要なく制御基板９に電力を供給することができる。
【００２５】
（本実施例の効果）
開口部１９からは、制御基板９および制御基板９に実装された少なくとも１つ以上のコネクタ１０にアクセスできる。言い換えれば、電池室ユニット１１がベース部材４に装着された状態においては電池室ユニット１１によって開口部１９が覆われ、電池室ユニット１１がベース部材４から取り外された状態においては開口部１９の少なくとも一部が露出する。つまり、電池室ユニット１１はベース部材４に対して着脱可能であり、電池室ユニット１１がベース部材４から取り外された状態においてはコネクタ１０の少なくとも一部が開口部１９を介して露出する。一方、電池室ユニット１１がベース部材４に装着された状態においては電池室ユニット１１によって開口部１９が覆われている。
【００２６】
そして、開口部１９の少なくとも一部がコネクタ１０と重なっているために、電池室ユニット１１をベース部材４から取り外せば、コネクタ１０にアクセスすることができる。その結果、コネクタ１０を用いてファームの書き換えなどの制御基板９の調整を行うことができる。なお、ここでいう開口部１９の少なくとも一部がコネクタ１０と重なっているとは、言い換えれば、電池室ユニット１１をベース部材４から取り外した状態において、開口部１９を介してコネクタ１０を視認できることをいう。さらに言い換えれば、開口部１９の少なくとも一部を含み、開口部１９の法線方向に延びる領域内にコネクタ１０が位置しているともいえる。なお、前述の開口部１９の法線方向視とは、例えば締結部材としてのビス１８の長手方向あるいはビス１８の回転軸方向視と置き換えてもよい。あるいは、２つの対物光学系の各光軸を含む平面に対して垂直な方向視と置き換えてもよい。
【００２７】
つまり、本実施例の構成によれば、像振れ補正装置８を双眼装置本体に組み込んだ状態で制御基板９を調整する場合に、電池室ユニット１１を取り外すだけで制御基板９に実装されたコネクタ１０にアクセスすることができる。このため、カバー部材３等まで取り外す必要が無く、少ない工数で制御基板９にアクセスが可能となる。その結果、従来よりも短時間で基板にアクセスすることができる光学機器を実現することができる。
【００２８】
（本実施例のさらなる効果）
前述のように、本実施例によれば像振れ補正装置８を双眼装置本体に組み込んだ状態で制御基板９を調整する場合にカバー部材３の取り外しが不要である。このため、対物光学系１Ｌ、１Ｒが外部に露出せず、対物光学系１Ｌ、１Ｒが傷ついたり、内部に塵埃が混入したりして光学性能が低下することを抑制することができる。
【００２９】
（より好ましい構成）
本実施例においては、一対の対物ユニット２Ｌ、２Ｒの他、像振れ補正装置８もフォーカス群として、光軸０Ｌ、０Ｒ方向へ移動し、制御基板９は固定部材８ｂに保持されており、フォーカス群と共に光軸０Ｌ、０Ｒ方向へ移動する。つまり、対物光学系１Ｒ，１Ｌが備える複数の光学素子のうち少なくとも一部は、制御基板９および前記コネクタ１０とともに光軸方向へ移動可能である。
【００３０】
この場合、本実施例のように、制御基板９がコネクタ１０とともに移動する方向を第１の方向とするとき、電池収納部１３あるいは開口部１９の長手方向は第１の方向と平行であることが好ましい。また、電池１３ａが電池収納部１３に収納された際に、電池１３ａの長手方向も第１の方向と平行であることが好ましい。つまり、電池収納部１３は電池１３ａの長手方向が第１の方向と平行になるように電池１３ａを収納可能である。ここでいう第１の方向とは本実施例においては光軸０Ｌ、０Ｒ方向である。
【００３１】
このような構成にすれば、制御基板９がコネクタ１０とともに第１の方向に移動したとしても、開口部１９を介してコネクタ１０にアクセスできる状態を維持することが容易になる。
【００３２】
〔他の実施例〕
以上、本発明の好ましい実施形態について説明したが、本発明はこれらの実施形態に限定されず、その要旨の範囲内で種々の変形及び変更が可能である。
【００３３】
例えば、前述の第１実施例においては電源として電池を用いた光学機器の構成を例示したが、使い捨ての乾電池や充電式の電池以外にも電源として使用可能なものであれば、電池１３ａの代わりに使用してもよい。
【００３４】
また、前述の第１実施例においては電池収納部１３に電池１３ａが合計２本収納されるが、電池の本数は２本に限定されるものではなく、１本であっても３本以上であってもよい。
【００３５】
また、前述の第１実施例においては被制御部材として像振れ補正装置８を備える構成の光学機器（双眼装置）を例示したが、本発明はこのような構成に限定されるものではない。例えば、撮影装置を備える光学機器（双眼装置）において被制御部材を撮影装置として、前述の第１実施例に記載の構成をこのような光学機器に適用してもよい。
【００３６】
また、前述の第１実施例においては光学機器として双眼鏡を例示したが、例えば単眼鏡に前述の第１実施例に記載の構成を適用してもよい。
【符号の説明】
【００３７】
１Ｌ、１Ｒ  対物光学系
２Ｌ、２Ｒ  対物ユニット
３  カバー部材
４  ベース部材
５Ｌ、５Ｒ  接眼ユニット
６Ｌ、６Ｒ  プリズム
７Ｌ、７Ｒ  接眼光学系
８  像振れ補正装置
８ａ  可動部材
８ｂ  固定部材
９  制御基板
１０  コネクタ
１１  電池室ユニット
１２  電極
１３  電池収納部
１３ａ  電池
１４  電源接続板金
１５  電池カバー
１６  ダイヤル
１７  スクリュー
１８  ビス
１９  開口部
２０  電源接続用フレキシブルプリント基板
【図１】
2018004780.tif 000003
【図２】
2018004780.tif 000004
【図３】
2018004780.tif 000005
【図４】
2018004780.tif 000006
【図５】
2018004780.tif 000007
【図６】
2018004780.tif 000008